(57)【要約】【課題】弁作用金属の焼結体からなる陽極体に誘電体皮膜層、固体電解質層、陰極引出層を順次形成し、前記陽極体の一端面に植立されており、前記陽極体に埋没した埋没部を有する陽極リード部材を備え、少なくとも前記埋没部が扁平状に形成されている固体電解コンデンサにおいて、陽極体から前記陽極リード部材が抜け落ちることを防止する。【解決手段】前記埋没部の少なくとも一部に、前記陽極体の内部に引っかかる突起部を設けたこと、又は前記埋没部の先端部を前記陽極体の内部に引っかかるように折り曲げていること、又は前記埋没部の外周に、少なくとも１つのへこみを設けたことを特徴とする。【選択図】    図１
2004253501.tif 000002
【特許請求の範囲】
【請求項１】
弁作用金属の焼結体からなる陽極体に誘電体皮膜層、固体電解質層、陰極引出層を順次形成し、前記陽極体の一端面に植立されており、前記陽極体に埋没した埋没部を有する陽極リード部材を備え、少なくとも前記埋没部が扁平状に形成されている固体電解コンデンサにおいて、
前記埋没部の少なくとも一部に、前記陽極体の内部に引っかかる突起部を設けたことを特徴とする固体電解コンデンサ。
【請求項２】
前記埋没部の外形がＴ字型、又は十字型であることを特徴とする請求項１に記載の固体電解コンデンサ。
【請求項３】
弁作用金属の焼結体からなる陽極体に誘電体皮膜層、固体電解質層、陰極引出層を順次形成し、前記陽極体の一端面に植立されており、前記陽極体に埋没した埋没部を有する陽極リード部材を備え、少なくとも前記埋没部が扁平状に形成されている固体電解コンデンサにおいて、
前記埋没部の先端部を、前記陽極体の内部に引っかかるように折り曲げていることを特徴とする固体電解コンデンサ。
【請求項４】
弁作用金属の焼結体からなる陽極体に誘電体皮膜層、固体電解質層、陰極引出層を順次形成し、前記陽極体の一端面に植立されており、前記陽極体に埋没した埋没部を有する陽極リード部材を備え、少なくとも前記埋没部が扁平状に形成されている固体電解コンデンサにおいて、
前記埋没部の外周に、少なくとも１つのへこみを設けたことを特徴とする固体電解コンデンサ。
【発明の詳細な説明】
【０００１】
【発明の属する技術分野】
本発明は、加工した陽極リード部材を用いた固体電解コンデンサに関する。
【０００２】
【従来の技術】
従来、固体電解コンデンサとして図５に示す構造のものが知られている。
【０００３】
この固体電解コンデンサは、弁作用金属（タンタル、ニオブ、チタン、アルミニウム等）の焼結体からなる陽極体１表面に、該陽極体表面を酸化させた誘電体皮膜層２、二酸化マンガン等の導電性無機材料、或いはＴＣＮＱ錯塩、導電性ポリマー等の導電性有機材料からなる固体電解質層３、カーボン、銀等からなる陰極引出層４を順次形成してコンデンサ素子１５を構成し、前記陽極体１の一端面に植立された陽極リード部材１６に陽極リードフレーム２０を抵抗溶接により接続し、前記陰極引出層４に陰極リードフレーム２１を導電性接着材５により接続し、前記コンデンサ素子１５の外側にエポキシ樹脂等からなる外装樹脂層７にて被覆密封したものである。上記コンデンサに用いられる陽極リード部材１６として、図６に示すようにワイヤ形状のものが用いられていた。
【０００４】
近年、これらの固体電解コンデンサにおいても小型化及び薄型化の要求が強く望まれている。固体電解コンデンサの小型化及び薄型化を行う方法一つに、陽極体を小さくする方法がある。しかし、陽極体は陽極リード部材としてワイヤが埋め込まれているために、扁平状の薄型の陽極体を形成する場合、上記ワイヤの形状よりも薄い陽極体を形成することは不可能である。一方、ワイヤ形状よりも多少厚い陽極体を形成する場合も、ワイヤ埋没部付近の焼結体の密度が不均一に成るため、成形させた陽極体に欠けや割れが発生しやすいという問題がある。また、陽極体の表面に誘電体皮膜層を形成する際に、焼結体の密度が異なるため薬品の浸込み状態が異なり均一な膜を形成することが困難であった。
【０００５】
上記問題を解決する手段として、前記陽極リード部材に用いられるワイヤの陽極体埋没部を扁平状に薄く加工する方法が提案されている（例えば実用新案文献１）。また、図７に示すように前記陽極リード部材１６全体を扁平状に薄く加工する方法が提案されている（例えば特許文献１）。
【０００６】
上記手段を用いることにより、従来よりも薄い陽極体を形成することができ、固体電解コンデンサを小型化及び薄型化することができる。
【０００７】
【実用新案文献１】
実開昭５７−１３８３３０（第３頁、図２）
【特許文献１】
特開昭６３−２８３０１２（第３頁、図１）
【０００８】
【発明が解決しようとする課題】
ところが、扁平状の陽極リード部材は体積が大きいため従来のワイヤ形状に対し、コストが増加するという問題がある。また、コストを抑えるために陽極リード素子を小さくした場合、陽極体と前記陽極リード部材の接続強度が低下し、陽極リードフレームと前記陽極リード部材を抵抗溶接等で接続する工程おける応力等の機械的衝撃により、抜け落ちてしまうという問題がある。
【０００９】
そこで本発明は、上記問題に鑑みて、前記陽極体と前記陽極リード部材との接続強度を向上させ、前記陽極リード部材が抜ける事を防止する固体電解コンデンサを提供する。
【００１０】
【課題を解決するための手段】
弁作用金属の焼結体からなる陽極体に誘電体皮膜層、固体電解質層、陰極引出層を順次形成し、前記陽極体の一端面に植立されており、前記陽極体に埋没した埋没部を有する陽極リード部材を備え、少なくとも前記埋没部が扁平状に形成されている固体電解コンデンサにおいて、
前記埋没部の少なくとも一部に、前記陽極体の内部に引っかかる突起部を設けたこと、又は前記埋没部の先端部を前記陽極体の内部に引っかかるように折り曲げていること、又は前記埋没部の外周に、少なくとも１つのへこみを設けたことを特徴とする。上記構成により、前記陽極体からの前記陽極リード部材が抜け落ちる事を防止することができる。
【００１１】
【発明の実施の形態】
本発明の一実施の形態を、図を用いて説明する。
【００１２】
この固体電解コンデンサは、タンタルの焼結体からなる陽極体表面に、該陽極体表面を酸化させた誘電体皮膜層、導電性ポリマーからなる固体電解質層、カーボン、銀等からなる陰極引出層を順次形成してコンデンサ素子を構成し、前記陽極体の一端面に埋没された陽極リード部材に陽極リードフレームを接続し、前記陰極引出層に陰極リードフレームを導電性接着材により接続し、前記コンデンサ素子の外側にエポキシ樹脂等からなる外装樹脂層にて被覆密封したものである。
【００１３】
実施例に用いる陽極リード部材としては、全体が扁平状に形成されているものを用いた。
【００１４】
ここで陽極体に埋没する陽極リード部材として、以下の実施例を示して説明する。
【００１５】
（実施例１）陽極リード部材１６として、図１に示すように扁平状に形成された埋没部３０に、陽極体１の内部に引っかかる突起部３１を設け外形をＴ字型に形成したものを用いた。
【００１６】
（実施例２）陽極リード部材１６として、図２に示すように扁平状に形成された埋没部３０の先端部３２を直角に折り曲げた形状のものを用いた。
【００１７】
（実施例３）陽極リード部材１６として、図３に示すように扁平状に形成された埋没部３０の先端部３２を湾曲させた形状のものを用いた。
【００１８】
（実施例４）陽極リード部材１６として、図４に示すように扁平状に形成された埋没部３０の外周に、複数の凸凹のへこみ３３を設けたものを用いた。
【００１９】
上記形状の陽極リード部材を用いることにより、陽極体１と前記陽極リード部材１６の接続強度が向上し、前記陽極リード部材１６が抜け落ちることを防止することができる。
【００２０】
実施例１では、陽極リード部材１６として、陽極体１の内部に引っかかる突起部３１を設け外形をＴ字型に形成したものを用いたが、外形を十字型に形成したものなど、陽極体内部に引っかかる突起部を設けた形状であれば特に限定はなく同様の効果が得られる。
【００２１】
また、実施例では全体が扁平状に形成されている陽極リード部材を用いたが、前記陽極リード部材の陽極体の埋没部のみが扁平状に形成されているものにも応用することができる。
【００２２】
【発明の効果】弁作用金属の焼結体からなる陽極体に誘電体皮膜層、固体電解質層、陰極引出層を順次形成し、前記陽極体の一端面に植立されており、前記陽極体に埋没した埋没部を有する陽極リード部材を備え、少なくとも前記埋没部が扁平状に形成されている固体電解コンデンサにおいて、陽極体と前記陽極リード部材の接続強度が向上し、前記陽極リード部材が抜け落ちることを防止することができる。
【図面の簡単な説明】
【図１】実施例１における陽極リード部材の上面図及び側面図である。
【図２】実施例２における陽極リード部材の上面図及び側面図である。
【図３】実施例３における陽極リード部材の上面図及び側面図である。
【図４】実施例４における陽極リード部材の上面図及び側面図である。
【図５】従来の固体電解コンデンサにおける縦断面図である。
【図６】従来の陽極リード部材としてワイヤ形状のものを用いた固体電解コンデンサの斜視図である。
【図７】従来の陽極リード部材の上面図及び側面図である。
【符号の説明】
１  陽極体
２  誘電体皮膜層
３  固体電解質層
４  陰極引出層
５  導電性接着剤
７  外装樹脂層
１５  コンデンサ素子
１６  陽極リード部材
２０  陽極リードフレーム
２１  陰極リードフレーム
３０  埋設部
３１  突起部
３２  先端部
３３  へこみ
【図１】
2004253501.tif 000003
【図２】
2004253501.tif 000004
【図３】
2004253501.tif 000005
【図４】
2004253501.tif 000006
【図５】
2004253501.tif 000007
【図６】
2004253501.tif 000008
【図７】
2004253501.tif 000009